(57)【要約】【課題】配信端末毎に配信関連条件を設定する手間や配信端末を買い換えた場合に配信関連条件を設定する手間を省きつつ、配信端末に適した配信関連条件を適用することが可能なコンテンツ配信装置を提供する。【解決手段】このコンテンツ配信装置３は、複数の識別子２１ａ〜２１ｃを有するアクセスポイント装置２と通信する通信部３５と、識別子２１ａ〜２１ｃ毎に、コンテンツＣの配信に関する配信関連条件Ｄを設定可能な制御部３６と、を備える。【選択図】図２
2019165300.tif 000002
【特許請求の範囲】
【請求項１】
複数の識別子を有するアクセスポイント装置と通信する通信部と、
前記識別子毎に、コンテンツの配信に関する配信関連条件を設定可能な制御部と、を備える、コンテンツ配信装置。
【請求項２】
前記制御部は、前記識別子毎に、前記配信関連条件を設定可能に、表示部に情報を表示させる制御を行うように構成されている、請求項１に記載のコンテンツ配信装置。
【請求項３】
前記制御部は、前記配信関連条件を設定する識別子を選択可能なように、前記表示部に前記複数の識別子を表示させる制御を行うように構成されている、請求項２に記載のコンテンツ配信装置。
【請求項４】
前記制御部は、選択された識別子の前記配信関連条件を設定するための設定画面を、前記表示部に表示させる制御を行うように構成されている、請求項３に記載のコンテンツ配信装置。
【請求項５】
前記アクセスポイント装置は、有線ＬＡＮのケーブルが接続される有線ＬＡＮ接続部を含み、
前記制御部は、前記有線ＬＡＮ接続部を介する前記有線ＬＡＮの接続経路に対して、前記配信関連条件を設定可能に構成されている、請求項１〜４のいずれか１項に記載のコンテンツ配信装置。
【請求項６】
前記アクセスポイント装置は、外部ネットワークに接続可能に構成されており、
前記制御部は、前記外部ネットワークの接続経路に対して、前記配信関連条件を設定可能に構成されている、請求項１〜５のいずれか１項に記載のコンテンツ配信装置。
【請求項７】
前記配信関連条件は、視聴年齢を設定するための視聴年齢条件を含む、請求項１〜６のいずれか１項に記載のコンテンツ配信装置。
【請求項８】
前記視聴年齢条件は、年齢毎に設定可能に構成されている、請求項７に記載のコンテンツ配信装置。
【請求項９】
前記配信関連条件は、ジャンルを設定するためのジャンル条件を含む、請求項１〜８のいずれか１項に記載のコンテンツ配信装置。
【請求項１０】
前記配信関連条件は、前記コンテンツの配信を許可する時間帯を設定するための配信時間帯条件を含む、請求項１〜９のいずれか１項に記載のコンテンツ配信装置。
【請求項１１】
選局されたチャンネルの放送信号を受信する受信部を備え、
前記配信関連条件は、配信を許可するチャンネルを設定するためのチャンネル条件を含む、請求項１〜１０のいずれか１項に記載のコンテンツ配信装置。
【請求項１２】
前記配信関連条件は、許可する前記コンテンツに関する操作を設定するための操作条件を含む、請求項１〜１１のいずれか１項に記載のコンテンツ配信装置。
【請求項１３】
前記コンテンツに関する操作は、録画予約、削除、編集、および、ダビングのうちの少なくとも１つを含む、請求項１２に記載のコンテンツ配信装置。
【請求項１４】
前記制御部は、前記配信関連条件に基づいて、前記コンテンツのタイトルリストを作成するように構成されている、請求項１〜１３のいずれか１項に記載のコンテンツ配信装置。
【請求項１５】
前記制御部は、前記配信関連条件に基づいて、前記コンテンツの配信の許否を判断するように構成されている、請求項１〜１４のいずれか１項に記載のコンテンツ配信装置。
【請求項１６】
前記制御部は、前記コンテンツの配信を許可する場合、前記コンテンツを配信する制御を行い、前記コンテンツの配信を拒否する場合、前記コンテンツが配信できないことを通知する制御を行うように構成されている、請求項１〜１５のいずれか１項に記載のコンテンツ配信装置。
【発明の詳細な説明】
【技術分野】
【０００１】
この発明は、コンテンツ配信装置に関する。
【背景技術】
【０００２】
従来、コンテンツ配信装置が知られている（たとえば、特許文献１参照）。
【０００３】
上記特許文献１には、ＡＶデータ（コンテンツ）をテレビ端末装置（配信端末）に配信するビデオ端末装置（コンテンツ配信装置）が開示されている。
【０００４】
また、上記特許文献１には記載されていないものの、従来のコンテンツ配信装置では、コンテンツを複数の配信端末に配信可能な場合がある。また、このような従来のコンテンツ配信装置では、配信端末毎に、コンテンツの配信を許可する、または、コンテンツの配信を禁止するという条件を設定可能な場合がある。
【先行技術文献】
【特許文献】
【０００５】
【特許文献１】特開２００６−２７０４１０号公報
【発明の概要】
【発明が解決しようとする課題】
【０００６】
従来のコンテンツ配信装置では、配信端末毎に条件を設定するため、配信端末に適した条件を適用することができる一方、配信端末毎に条件を設定する必要があるため、配信端末毎に条件（配信関連条件）を設定する手間が生じるという問題点がある。また、配信端末毎に条件を設定する場合、配信端末を買い換えた場合にも、買い換えた配信端末に対して新たに条件（配信関連条件）を設定する必要がある。
【０００７】
この発明は、上記のような課題を解決するためになされたものであり、この発明の１つの目的は、配信端末毎に配信関連条件を設定する手間や配信端末を買い換えた場合に配信関連条件を設定する手間を省きつつ、配信端末に適した配信関連条件を適用することが可能なコンテンツ配信装置を提供することである。
【課題を解決するための手段】
【０００８】
この発明の一の局面によるコンテンツ配信装置は、複数の識別子を有するアクセスポイント装置と通信する通信部と、識別子毎に、コンテンツの配信に関する配信関連条件を設定可能な制御部と、を備える。なお、本願明細書では、コンテンツの配信に関する配信関連条件とは、コンテンツを配信する際の条件だけでなく、配信されるコンテンツに関する条件も含む広い概念である。
【０００９】
この発明の一の局面によるコンテンツ配信装置では、上記のように構成することによって、アクセスポイント装置の識別子に対して、配信関連条件を設定することができる。これにより、配信関連条件が設定された識別子を用いて配信端末をアクセスポイント装置に接続するだけで、配信端末に設定済みの配信関連条件を適用することができる。その結果、配信端末毎に配信関連条件を設定する必要がないとともに、配信端末を買い換えた場合にも配信関連条件を設定する必要がないので、配信端末毎に配信関連条件を設定する手間や配信端末を買い換えた場合に配信関連条件を設定する手間を省くことができる。また、アクセスポイント装置の識別子毎に、互いに異なる配信関連条件（家族用の配信関連条件、来客用の配信関連条件など）を設定することができる。その結果、適切な識別子を用いて配信端末をアクセスポイント装置に接続すれば、配信端末に適した配信関連条件（家族の配信端末に適した家族用の配信関連条件など）を適用することができる。これらの結果、配信端末毎に配信関連条件を設定する手間や配信端末を買い換えた場合に配信関連条件を設定する手間を省きつつ、配信端末に適した配信関連条件を適用することが可能なコンテンツ配信装置を提供することができる。
【００１０】
さらに、この発明の一の局面によるコンテンツ配信装置では、アクセスポイント装置の識別子毎に、配信関連条件を設定することができるので、接続する識別子を切り替えるだけで、配信端末に適用される配信関連条件を切り替えることができる。その結果、たとえば、家族などのグループにおいて同一の配信端末を共有した場合に、使用するユーザに応じて共有の配信端末に適用される配信関連条件を適切な配信関連条件（親向けの配信関連条件、子供向けの配信関連条件など）に切り替えることができる。
【００１１】
上記一の局面によるコンテンツ配信装置において、好ましくは、制御部は、識別子毎に、配信関連条件を設定可能に、表示部に情報を表示させる制御を行うように構成されている。このように構成すれば、ユーザは、表示部に表示された情報に基づいて、識別子毎の配信関連条件の設定を容易に行うことができる。
【００１２】
一の局面この場合、好ましくは、制御部は、配信関連条件を設定する識別子を選択可能なように、表示部に複数の識別子を表示させる制御を行うように構成されている。このように構成すれば、ユーザは、表示部に表示された複数の識別子のうちから、配信関連条件の設定を所望する識別子を選択するだけで、所望の識別子に対して配信関連条件の設定を開始することができる。その結果、操作性を向上させることができる。
【００１３】
上記配信関連条件を設定する識別子を選択可能なように表示部に複数の識別子を表示させる構成において、好ましくは、制御部は、選択された識別子の配信関連条件を設定するための設定画面を、表示部に表示させる制御を行うように構成されている。このように構成すれば、ユーザは、表示部に表示された設定画面に従って、所望の識別子に対して配信関連条件の設定を容易に行うことができる。
【００１４】
上記一の局面によるコンテンツ配信装置において、好ましくは、アクセスポイント装置は、有線ＬＡＮのケーブルが接続される有線ＬＡＮ接続部を含み、制御部は、有線ＬＡＮ接続部を介する有線ＬＡＮの接続経路に対して、配信関連条件を設定可能に構成されている。このように構成すれば、配信関連条件が設定された有線ＬＡＮの接続経路を用いて配信端末をアクセスポイント装置に接続するだけで、配信端末に設定済みの配信関連条件を適用することができる。その結果、配信関連条件が設定された有線ＬＡＮの接続経路を用いて接続される配信端末についても、配信端末毎に配信関連条件を設定する手間を省くことができる。
【００１５】
上記一の局面によるコンテンツ配信装置において、好ましくは、アクセスポイント装置は、外部ネットワークに接続可能に構成されており、制御部は、外部ネットワークの接続経路に対して、配信関連条件を設定可能に構成されている。このように構成すれば、配信関連条件が設定された外部ネットワークの接続経路を用いて配信端末をアクセスポイント装置に接続するだけで、配信端末に設定済みの配信関連条件を適用することができる。その結果、配信関連条件が設定された外部ネットワークの接続経路を用いて接続される配信端末についても、配信端末毎に配信関連条件を設定する手間を省くことができる。
【００１６】
上記一の局面によるコンテンツ配信装置において、好ましくは、配信関連条件は、視聴年齢を設定するための視聴年齢条件を含む。このように構成すれば、設定された視聴年齢に基づいて選択されたコンテンツを配信端末に配信することができる。その結果、ユーザの年齢に適したコンテンツだけを配信端末に配信することができる。これにより、たとえば、子供が使用する配信端末に子供に適したコンテンツだけを配信することができる。
【００１７】
この場合、好ましくは、視聴年齢条件は、年齢毎に設定可能に構成されている。このように構成すれば、視聴年齢を細かく設定することができる。その結果、配信端末を使用するユーザの年齢により適したコンテンツを配信端末に配信することができる。
【００１８】
上記一の局面によるコンテンツ配信装置において、好ましくは、配信関連条件は、ジャンルを設定するためのジャンル条件を含む。このように構成すれば、設定されたジャンルに基づいて選択されたコンテンツを配信端末に配信することができる。その結果、ユーザが好むジャンルのコンテンツだけを配信端末に配信することができる。これにより、ユーザは、ユーザが使用する配信端末により好みのコンテンツを容易に視聴することができる。
【００１９】
上記一の局面によるコンテンツ配信装置において、好ましくは、配信関連条件は、コンテンツの配信を許可する時間帯を設定するための配信時間帯条件を含む。このように構成すれば、コンテンツの配信を所望しない時間帯に配信端末にコンテンツの配信が行われることを制限しつつ、コンテンツの配信を所望する時間帯には、配信端末にコンテンツの配信を行うことができる。その結果、たとえば、夜更かしを抑制するように、子供が使用する配信端末への夜間のコンテンツの配信を制限しつつ、昼間には、子供が使用する配信端末へのコンテンツの配信を行って、コンテンツを視聴させることができる。
【００２０】
上記一の局面によるコンテンツ配信装置において、好ましくは、選局されたチャンネルの放送信号を受信する受信部を備え、配信関連条件は、配信を許可するチャンネルを設定するためのチャンネル条件を含む。このように構成すれば、配信を所望しないチャンネルのコンテンツの配信端末への配信が行われることを制限することができる。その結果、ユーザが好むチャンネルのコンテンツだけを配信端末に配信することができる。これにより、ユーザは、ユーザが使用する配信端末により好みのチャンネルのコンテンツを容易に視聴することができる。
【００２１】
上記一の局面によるコンテンツ配信装置において、好ましくは、配信関連条件は、許可するコンテンツに関する操作を設定するための操作条件を含む。このように構成すれば、コンテンツに関する操作を所望しない配信端末によるコンテンツに関する操作が行われることを制限することができる。その結果、たとえば、子供や来客が使用する配信端末により、所望しない操作が行われることを制限することができる。
【００２２】
この場合、好ましくは、コンテンツに関する操作は、録画予約、削除、編集、および、ダビングのうちの少なくとも１つを含む。このように構成すれば、コンテンツに関する操作を所望しない配信端末により、録画予約、削除、編集、または、ダビングが行われることを制限することができる。
【００２３】
上記一の局面によるコンテンツ配信装置において、好ましくは、制御部は、配信関連条件に基づいて、コンテンツのタイトルリストを作成するように構成されている。このように構成すれば、ユーザは、ユーザが使用する配信端末により、配信関連条件が適用されたコンテンツをタイトルリストとして確認することができる。その結果、ユーザは、配信関連条件が適用されたコンテンツのタイトルリストのうちから、視聴するコンテンツを容易に選択することができる。
【００２４】
上記一の局面によるコンテンツ配信装置において、好ましくは、制御部は、配信関連条件に基づいて、コンテンツの配信の許否を判断するように構成されている。このように構成すれば、コンテンツの配信を所望しない配信端末へのコンテンツの配信が行われることを制限することができる。また、コンテンツの配信を所望する配信端末へのコンテンツの配信を行うことができる。
【００２５】
上記一の局面によるコンテンツ配信装置において、好ましくは、制御部は、コンテンツの配信を許可する場合、コンテンツを配信する制御を行い、コンテンツの配信を拒否する場合、コンテンツが配信できないことを通知する制御を行うように構成されている。このように構成すれば、コンテンツの配信を許可する場合、コンテンツを配信端末に確実かつ迅速に配信することができる。また、コンテンツの配信を拒否する場合、コンテンツが配信できないことをユーザが使用する配信端末を介してユーザに通知することができる。その結果、ユーザは、不具合によりコンテンツがユーザが使用する配信端末に配信されないのではなく、設定によりコンテンツがユーザが使用する配信端末に配信されないことを知ることができる。
【発明の効果】
【００２６】
本発明によれば、上記のように、配信端末毎に配信関連条件を設定する手間や配信端末を買い換えた場合に配信関連条件を設定する手間を省きつつ、配信端末に適した配信関連条件を適用することが可能なコンテンツ配信装置を提供することができる。
【図面の簡単な説明】
【００２７】
【図１】第１〜第５実施形態によるコンテンツ配信システムを示した図である。
【図２】第１〜第５実施形態によるコンテンツ配信装置、アクセスポイント装置、および、表示装置を示したブロック図である。
【図３】第１実施形態によるコンテンツ配信装置の配信関連条件の設定画面を示した図である。
【図４】第１実施形態によるコンテンツ配信装置による接続判断処理を説明するためのフローチャートである。
【図５】第１実施形態によるコンテンツ配信装置による配信関連処理を説明するためのフローチャートである。
【図６】第２実施形態によるコンテンツ配信装置の配信関連条件のジャンル条件の設定画面を示した図である。
【図７】第２実施形態によるコンテンツ配信装置による配信関連処理を説明するためのフローチャートである。
【図８】第３実施形態によるコンテンツ配信装置の配信関連条件の配信時間帯条件の設定画面を示した図である。
【図９】第３実施形態によるコンテンツ配信装置による配信関連処理を説明するためのフローチャートである。
【図１０】第４実施形態によるコンテンツ配信装置の配信関連条件のチャンネル条件の設定画面を示した図である。
【図１１】第４実施形態によるコンテンツ配信装置による配信関連処理を説明するためのフローチャートである。
【図１２】第５実施形態によるコンテンツ配信装置の配信関連条件の操作条件の設定画面を示した図である。
【図１３】第５実施形態によるコンテンツ配信装置による配信関連処理を説明するためのフローチャートである。
【発明を実施するための形態】
【００２８】
以下、本発明を具体化した実施形態を図面に基づいて説明する。
【００２９】
［第１実施形態］
図１〜図３を参照して、第１実施形態によるコンテンツ配信システム１００の構成について説明する。
【００３０】
第１実施形態によるコンテンツ配信システム１００は、図１に示すように、配信端末１と、アクセスポイント装置２と、コンテンツ配信装置３とを備える。配信端末１と、アクセスポイント装置２と、コンテンツ配信装置３とは、たとえば、住宅内で利用される。また、配信端末１と、アクセスポイント装置２と、コンテンツ配信装置３とは、ホームネットワークを形成し、ホームネットワークにより互いに通信可能に接続されている。配信端末１と、コンテンツ配信装置３とは、アクセスポイント装置２を介して、互いに通信可能に接続されている。コンテンツ配信システム１００は、アクセスポイント装置２を介して、コンテンツ配信装置３から配信端末１にコンテンツＣを配信する。
【００３１】
配信端末１は、コンテンツ配信装置３からコンテンツＣが配信される端末である。配信端末１は、コンテンツ配信装置３から配信されたコンテンツＣを視聴可能に構成されている。配信端末１（１ａ〜１ｃ）は、たとえば、スマートホンなどの携帯型の端末である。また、配信端末１（１ｄ）は、たとえば、テレビジョン装置である。配信端末１は、無線ＬＡＮによりアクセスポイント装置２に接続される配信端末１ａ〜１ｃを含む。また、配信端末１は、有線ＬＡＮによりアクセスポイント装置２に接続される配信端末１ｄを含む。また、配信端末１は、インターネットなどの外部ネットワーク４を介してアクセスポイント装置２に接続される配信端末（図示せず）を含む。
【００３２】
図１および図２に示すように、アクセスポイント装置２は、ルータ機能を有する無線ＬＡＮルータである。アクセスポイント装置２は、配信端末１とコンテンツ配信装置３とを互いに通信可能に接続する。アクセスポイント装置２は、複数（３つ）の識別子２１ａ〜２１ｃ（ＳＳＩＤ（Ｓｅｒｖｉｃｅ  Ｓｅｔ  ＩＤｅｎｔｉｆｉｅｒ））を有する。配信端末１は、識別子２１ａ〜２１ｃのうちのいずれか１つの識別子を用いて、無線ＬＡＮによりアクセスポイント装置２に接続可能である。なお、図１では、配信端末１ａが識別子２１ａを用いて、配信端末１ｂが識別子２１ｂを用いて、配信端末１ｃが識別子２１ｃを用いて、それぞれ、無線ＬＡＮによりアクセスポイント装置２に接続されている。また、配信端末１ａが識別子２１ａ〜２１ｃは、ステルスに設定されたステルス識別子であってもよい。なお、図３では、識別子２１ａが、ステルス識別子である。
【００３３】
また、アクセスポイント装置２は、複数（２つ）の有線ＬＡＮ接続部２２ａおよび２２ｂを含む。有線ＬＡＮ接続部２２ａおよび２２ｂは、それぞれ、有線ＬＡＮのケーブルが接続される有線ＬＡＮのケーブル用のポートである。配信端末１は、有線ＬＡＮ接続部２２ａを介する接続経路２２ｃ、および、有線ＬＡＮ接続部２２ｂを介する接続経路２２ｄのうちのいずれか１つの接続経路を用いて、有線ＬＡＮによりアクセスポイント装置２に接続可能である。なお、図１では、配信端末１ｄが接続経路２２ｃを用いて有線ＬＡＮによりアクセスポイント装置２に接続され、外部ネットワーク４が接続経路２２ｄを用いて有線ＬＡＮによりアクセスポイント装置２に接続されている。アクセスポイント装置２は、外部ネットワーク４に接続可能に構成されている。
【００３４】
コンテンツ配信装置３は、映像信号および音声信号を含むコンテンツＣを配信端末１に配信する装置である。具体的には、コンテンツ配信装置３は、コンテンツＣを記憶可能（録画可能）なレコーダであり、アクセスポイント装置２を介して、記憶したコンテンツＣ（録画されたコンテンツ）を配信端末１に配信可能に構成されている。また、コンテンツ配信装置３は、放送信号としてのコンテンツＣを受信可能に構成されている。コンテンツ配信装置３は、受信したコンテンツＣ（放送信号としてのコンテンツ）をリアルタイムに配信端末１に配信可能に構成されている。
【００３５】
コンテンツ配信装置３は、複数（３つ）の受信部３１と、コンテンツ記憶部３２と、記憶部３３と、操作部３４と、通信部３５と、制御部３６とを含む。受信部３１は、チューナを有し、選局されたチャンネル（放送局に割り当てられた周波数帯）の放送信号を受信する。コンテンツ記憶部３２は、ＨＤＤ（Ｈａｒｄ  Ｄｉｓｋ  Ｄｒｉｖｅ）などの不揮発性の大容量の記憶媒体（ストレージデバイス）であり、受信部３１により受信した放送信号などのコンテンツＣを記憶する。記憶部３３は、フラッシュメモリなどの不揮発性の記憶媒体であり、後述する配信関連条件Ｄなどの情報を記憶する。操作部３４は、リモコンを含み、ユーザの操作を受け付ける。通信部３５は、無線ＬＡＮまたは有線ＬＡＮによりアクセスポイント装置２に接続され、アクセスポイント装置２と通信する。制御部３６は、コンテンツ配信装置３の動作を制御する制御回路であり、ＣＰＵなどのプロセッサと、メモリとを有する。また、コンテンツ配信装置３は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）ケーブルやＡＶ（オーディオビデオ）ケーブルなどのケーブルを介して、外部に設けられた表示装置５と接続されている。表示装置５は、たとえばテレビジョン装置であり、液晶パネルなどの表示部５１を含む。
【００３６】
（配信関連条件の設定）
ここで、第１実施形態では、図３に示すように、制御部３６は、アクセスポイント装置２の識別子２１ａ〜２１ｃ毎に、コンテンツＣの配信に関する配信関連条件Ｄを設定可能に構成されている。制御部３６は、識別子２１ａ〜２１ｃ毎に、コンテンツＣの配信に関する配信関連条件Ｄを設定可能に、表示装置５の表示部５１に情報を表示させる制御を行う。また、制御部３６は、識別子２１ａ〜２１ｃだけでなく、有線ＬＡＮの接続経路２２ｃ、および、接続経路２２ｄ（外部ネットワーク４の接続経路２２ｄ）に対しても、配信関連条件Ｄを設定可能に構成されている。制御部３６は、有線ＬＡＮの接続経路２２ｃ、および、接続経路２２ｄ（外部ネットワーク４の接続経路２２ｄ）に対しても、配信関連条件Ｄを設定可能に、表示装置５の表示部５１に情報を表示させる制御を行う。
【００３７】
具体的には、制御部３６は、配信関連条件Ｄを設定する識別子、または、接続経路を選択可能なように、表示装置５の表示部５１に、複数（３つ）の識別子２１ａ〜２１ｃと、複数（２つ）の接続経路２２ｃおよび２２ｄとを含む設定画面６１を表示させる制御を行う。また、設定画面６１において操作部３４を用いて識別子、または、接続経路が選択された場合、制御部３６は、選択された識別子、または、接続経路の配信関連条件Ｄを設定するための設定画面６２を、表示装置５の表示部５１に表示させる制御を行う。設定画面６２は、設定する条件の種類を選択するための画面である。
【００３８】
設定画面６２において操作部３４を用いて設定する条件の種類が選択された場合、制御部３６は、選択された種類の条件を設定するための設定画面６３を、表示装置５の表示部５１に表示させる制御を行う。第１実施形態では、配信関連条件Ｄは、視聴年齢を設定するための視聴年齢条件を含む。視聴年齢条件は、視聴年齢によりコンテンツＣの配信を制限する条件である。設定画面６２において操作部３４を用いて視聴年齢条件が選択された場合、制御部３６は、視聴年齢条件を設定するための設定画面６３を表示装置５の表示部５１に表示させる制御を行う。視聴年齢条件は、年齢毎に設定可能に構成されている。また、視聴年齢条件は、無制限を設定可能に構成されている。
【００３９】
選択された識別子、または、接続経路の配信関連条件Ｄの設定が完了された場合、制御部３６は、設定が完了した識別子、または、接続経路と配信関連条件Ｄとを対応付けて記憶部３３に記憶させる制御を行う。配信関連条件Ｄは、識別子２１ａに対応付けられた配信関連条件Ｄ１と、識別子２１ｂに対応付けられた配信関連条件Ｄ２と、識別子２１ｃに対応付けられた配信関連条件Ｄ３と、接続経路２２ｃに対応付けられた配信関連条件Ｄ４と、接続経路２２ｄに対応付けられた配信関連条件Ｄ５とを含む（図２参照）。
【００４０】
また、第１実施形態では、制御部３６は、配信関連条件Ｄに基づいて、コンテンツＣのタイトルリストを作成する。具体的には、制御部３６は、識別子２１ａ〜２１ｃ、並びに、接続経路２２ｃおよび２２ｄ毎に、対応する配信関連条件Ｄ（Ｄ１〜Ｄ５）の視聴年齢条件に基づいてコンテンツＣのタイトルリストを作成する。作成されたコンテンツＣのタイトルリストは、設定された視聴年齢条件を満たすコンテンツＣのみを含む。
【００４１】
制御部３６は、所定の配信端末１からコンテンツＣのタイトルリスト要求を受信した場合、所定の配信端末１が用いた識別子、または、接続経路（識別子２１ａ、識別子２１ｂ、識別子２１ｃ、接続経路２２ｃおよび接続経路２２ｄのうちのいずれか）に対応するコンテンツＣのタイトルリストを、所定の配信端末１に送信する。また、制御部３６は、所定の配信端末１から受信した接続情報に基づいて、所定の配信端末１が、識別子２１ａ、識別子２１ｂ、識別子２１ｃ、接続経路２２ｃおよび接続経路２２ｄのうちのいずれを用いてアクセスポイント装置２に接続しているかを判断する。また、制御部３６は、所定の配信端末１からタイトルリストのうちの特定のコンテンツＣの配信要求を受信した場合、要求された特定のコンテンツＣを所定の配信端末１に配信する制御を行う。
【００４２】
たとえば、制御部３６は、配信端末１ａからコンテンツＣのタイトルリスト要求を受信した場合、配信端末１ａが用いた識別子２１ａに対応するコンテンツＣのタイトルリストを、配信端末１ａに送信する。つまり、制御部３６は、配信端末１ａからコンテンツＣのタイトルリスト要求を受信した場合、配信関連条件Ｄ１の視聴年齢条件に基づいて作成されたコンテンツＣのタイトルリストを、配信端末１ａに送信する。なお、配信端末１ｂおよび１ｃについては、配信端末１ａの場合と同様であるので、詳細な説明を省略する。
【００４３】
また、たとえば、制御部３６は、配信端末１ｄからコンテンツＣのタイトルリスト要求を受信した場合、配信端末１ｄが用いた接続経路２２ｃに対応するコンテンツＣのタイトルリストを、配信端末１ｄに送信する。つまり、制御部３６は、配信端末１ｄからコンテンツＣのタイトルリスト要求を受信した場合、配信関連条件Ｄ４の視聴年齢条件に基づいて作成されたコンテンツＣのタイトルリストを、配信端末１ｄに送信する。
【００４４】
また、たとえば、制御部３６は、外部ネットワーク４を介して配信端末（図示せず）からコンテンツＣのタイトルリスト要求を受信した場合、この配信端末が用いた接続経路２２ｄに対応するコンテンツＣのタイトルリストを、この配信端末に送信する。つまり、制御部３６は、この配信端末からコンテンツＣのタイトルリスト要求を受信した場合、配信関連条件Ｄ５の視聴年齢条件に基づいて作成されたコンテンツＣのタイトルリストを、この配信端末に送信する。
【００４５】
（接続判断処理）
次に、図４を参照して、第１実施形態によるコンテンツ配信装置３の接続判断処理をフローチャートに基づいて説明する。フローチャートの各処理は、制御部３６により行われる。
【００４６】
図４に示すように、まず、ステップＳ１において、配信端末１からの接続情報が受信される。
【００４７】
そして、ステップＳ２において、配信端末１から受信した接続情報に基づいて、配信端末１の接続がローカルエリア接続であるか否か（有線ＬＡＮ接続または無線ＬＡＮ接続であるか否か）が判断される。配信端末１の接続がローカルエリア接続ではないと判断された場合、ステップＳ３に進む。
【００４８】
そして、ステップＳ３において、配信端末１が宅外端末である（外部ネットワーク４の接続経路２２ｄを用いた配信端末である）と判断される。その後、接続判断処理が終了される。
【００４９】
また、ステップＳ２において、配信端末１の接続がローカルリア接続であると判断された場合、ステップＳ４に進む。
【００５０】
そして、ステップＳ４において、配信端末１から受信した接続情報に基づいて、配信端末１の接続が無線接続であるか否かが判断される。無線接続ではないと判断された場合、ステップＳ５に進む。
【００５１】
そして、ステップＳ５において、配信端末１が宅内の有線接続端末である（有線ＬＡＮの接続経路２２ｃを用いた配信端末である）と判断される。その後、接続判断処理が終了される。
【００５２】
また、ステップＳ４において、配信端末１の接続が無線接続であると判断された場合、ステップＳ６に進む。
【００５３】
そして、ステップＳ６において、配信端末１が宅内の無線接続端末である（識別子２１ａ〜２１ｃのうちのいずれかを用いた配信端末である）と判断される。ステップＳ６では、配信端末１が用いた識別子（２１ａ〜２１ｃのうちのいずれかの識別子）が記憶部３３に記憶される。その後、接続判断処理が終了される。
【００５４】
（配信関連処理）
次に、図５を参照して、第１実施形態によるコンテンツ配信装置３の配信関連処理をフローチャートに基づいて説明する。フローチャートの各処理は、制御部３６により行われる。
【００５５】
図５に示すように、まず、ステップＳ１１において、識別子２１ａ〜２１ｃ、並びに、接続経路２２ｃおよび２２ｄ毎に、配信関連条件Ｄの視聴年齢条件が設定される。
【００５６】
そして、ステップＳ１２において、識別子２１ａ〜２１ｃ、並びに、接続経路２２ｃおよび２２ｄ毎に、配信関連条件Ｄの視聴年齢条件に従ったコンテンツＣのタイトルリストが作成される。
【００５７】
そして、ステップＳ１３において、配信端末１からコンテンツＣのタイトルリスト要求が受信される。
【００５８】
そして、ステップＳ１４において、タイトルリスト要求を送信した配信端末１が用いた識別子、または、接続経路（識別子２１ａ、識別子２１ｂ、識別子２１ｃ、接続経路２２ｃ、および、接続経路２２ｄのうちのいずれか）に対応するコンテンツＣのタイトルリストが配信端末１に送信される。送信されたコンテンツＣのタイトルリストは、設定された視聴年齢条件を満たすコンテンツＣのみを含む。
【００５９】
そして、ステップＳ１５において、コンテンツＣのタイトルリストを送信した配信端末１からタイトルリストのうちの特定のコンテンツＣの配信要求が受信される。
【００６０】
そして、ステップＳ１６において、配信要求を送信した配信端末１への特定のコンテンツＣの配信が行われる。その後、配信関連処理が終了される。
【００６１】
（第１実施形態の効果）
第１実施形態では、以下のような効果を得ることができる。
【００６２】
第１実施形態では、上記のように、制御部３６を、識別子２１ａ〜２１ｃ毎に、コンテンツＣの配信に関する配信関連条件Ｄを設定可能に構成する。これにより、アクセスポイント装置２の識別子２１ａ〜２１ｃに対して、配信関連条件Ｄを設定することができる。これにより、配信関連条件Ｄが設定された識別子２１ａ〜２１ｃを用いて配信端末１をアクセスポイント装置２に接続するだけで、配信端末１に設定済みの配信関連条件Ｄを適用することができる。その結果、配信端末１毎に配信関連条件Ｄを設定する必要がないとともに、配信端末１を買い換えた場合にも配信関連条件Ｄを設定する必要がないので、配信端末１毎に配信関連条件Ｄを設定する手間や配信端末１を買い換えた場合に配信関連条件Ｄを設定する手間を省くことができる。また、アクセスポイント装置２の識別子２１ａ〜２１ｃ毎に、互いに異なる配信関連条件Ｄ（家族用の配信関連条件Ｄ、来客用の配信関連条件Ｄなど）を設定することができる。その結果、適切な識別子２１ａ〜２１ｃを用いて配信端末１をアクセスポイント装置２に接続すれば、配信端末１に適した配信関連条件Ｄ（家族の配信端末１に適した家族用の配信関連条件Ｄなど）を適用することができる。これらの結果、配信端末１毎に配信関連条件Ｄを設定する手間や配信端末１を買い換えた場合に配信関連条件Ｄを設定する手間を省きつつ、配信端末１に適した配信関連条件Ｄを適用することが可能なコンテンツ配信装置３を提供することができる。
【００６３】
さらに、第１実施形態によるコンテンツ配信装置３では、アクセスポイント装置２の識別子２１ａ〜２１ｃ毎に、配信関連条件Ｄを設定することができるので、接続する識別子２１ａ〜２１ｃを切り替えるだけで、配信端末１に適用される配信関連条件Ｄを切り替えることができる。その結果、たとえば、家族などのグループにおいて同一の配信端末１を共有した場合に、使用するユーザに応じて共有の配信端末１に適用される配信関連条件Ｄを適切な配信関連条件Ｄ（親向けの配信関連条件Ｄ、子供向けの配信関連条件Ｄなど）に切り替えることができる。
【００６４】
また、第１実施形態では、上記のように、制御部３６を、識別子２１ａ〜２１ｃ毎に、配信関連条件Ｄを設定可能に、表示部５１に情報を表示させる制御を行うように構成する。このように構成すれば、ユーザは、表示部５１に表示された情報に基づいて、識別子２１ａ〜２１ｃ毎の配信関連条件Ｄの設定を容易に行うことができる。
【００６５】
また、第１実施形態では、上記のように、制御部３６を、配信関連条件Ｄを設定する識別子を選択可能なように、表示部５１に複数の識別子２１ａ〜２１ｃを表示させる制御を行うように構成する。これにより、ユーザは、表示部５１に表示された複数の識別子２１ａ〜２１ｃのうちから、配信関連条件Ｄの設定を所望する識別子を選択するだけで、所望の識別子に対して配信関連条件Ｄの設定を開始することができる。その結果、操作性を向上させることができる。
【００６６】
また、第１実施形態では、上記のように、制御部３６を、選択された識別子の配信関連条件Ｄを設定するための設定画面６２を、表示部５１に表示させる制御を行うように構成する。これにより、ユーザは、表示部５１に表示された設定画面６２に従って、所望の識別子に対して配信関連条件Ｄの設定を容易に行うことができる。
【００６７】
また、第１実施形態では、上記のように、アクセスポイント装置２を、有線ＬＡＮのケーブルが接続される有線ＬＡＮ接続部２２ａおよび２２ｂを含むように構成する。そして、制御部３６を、有線ＬＡＮ接続部２２ａを介する有線ＬＡＮの接続経路２２ｃおよび有線ＬＡＮ接続部２２ｂを介する有線ＬＡＮの接続経路２２ｄに対して、配信関連条件Ｄを設定可能に構成する。これにより、配信関連条件Ｄが設定された有線ＬＡＮの接続経路２２ｃまたは２２ｄを用いて配信端末１をアクセスポイント装置２に接続するだけで、配信端末１に設定済みの配信関連条件Ｄを適用することができる。その結果、配信関連条件Ｄが設定された有線ＬＡＮの接続経路２２ｃまたは２２ｄを用いて接続される配信端末１についても、配信端末１毎に配信関連条件Ｄを設定する手間を省くことができる。
【００６８】
また、第１実施形態では、上記のように、アクセスポイント装置２を、外部ネットワーク４に接続可能に構成する。そして、制御部３６を、外部ネットワーク４の接続経路２２ｄに対して、配信関連条件Ｄを設定可能に構成する。これにより、配信関連条件Ｄが設定された外部ネットワーク４の接続経路２２ｄを用いて配信端末１をアクセスポイント装置２に接続するだけで、配信端末１に設定済みの配信関連条件Ｄを適用することができる。その結果、配信関連条件Ｄが設定された外部ネットワーク４の接続経路２２ｄを用いて接続される配信端末１についても、配信端末１毎に配信関連条件Ｄを設定する手間を省くことができる。
【００６９】
また、第１実施形態では、上記のように、配信関連条件Ｄを、視聴年齢を設定するための視聴年齢条件を含むように構成する。これにより、設定された視聴年齢に基づいて選択されたコンテンツＣを配信端末１に配信することができる。その結果、ユーザの年齢に適したコンテンツＣだけを配信端末１に配信することができる。これにより、たとえば、子供が使用する配信端末１に子供に適したコンテンツＣだけを配信することができる。
【００７０】
また、第１実施形態では、上記のように、視聴年齢条件を、年齢毎に設定可能に構成する。これにより、視聴年齢を細かく設定することができる。その結果、配信端末１を使用するユーザの年齢により適したコンテンツＣを配信端末１に配信することができる。
【００７１】
また、第１実施形態では、上記のように、制御部３６を、配信関連条件Ｄに基づいて、コンテンツＣのタイトルリストを作成するように構成する。これにより、ユーザは、ユーザが使用する配信端末１により、配信関連条件Ｄが適用されたコンテンツＣをタイトルリストとして確認することができる。その結果、ユーザは、配信関連条件Ｄが適用されたコンテンツＣのタイトルリストのうちから、視聴するコンテンツＣを容易に選択することができる。
【００７２】
［第２実施形態］
次に、図１〜図３、図６および図７を参照して、第２実施形態について説明する。この第２実施形態では、配信関連条件がジャンル条件を含む例について説明する。なお、上記第１実施形態と同一の構成については、図中において同じ符号を付して図示し、その説明を省略する。
【００７３】
第２実施形態のコンテンツ配信システム２００は、図１および図２に示すように、コンテンツ配信装置１０３を備える点で、上記第１実施形態のコンテンツ配信システム１００と相違する。また、コンテンツ配信装置１０３は、制御部１３６を備える点で、上記第１実施形態のコンテンツ配信装置３と相違する。
【００７４】
第２実施形態では、図６に示すように、配信関連条件Ｄは、推奨するジャンルを設定するためのジャンル条件（推奨ジャンル条件）を含む。ジャンル条件は、推奨するジャンルによりコンテンツＣの配信を行う条件である。制御部１３６は、設定する条件の種類としてジャンル条件を選択可能に、設定画面６２（図３参照）を表示装置５の表示部５１に表示させる制御を行う。
【００７５】
設定画面６２において操作部３４を用いてジャンル条件が選択された場合、制御部１３６は、ジャンル条件を設定するための設定画面１６３を表示装置５の表示部５１に表示させる制御を行う。ジャンル条件は、ニュース／報道、スポーツ、映画、音楽などのジャンル毎に設定可能に構成されている。また、ジャンル条件は、１または複数のジャンルを設定可能に構成されている。また、ジャンル条件は、ジャンル無しを設定可能に構成されている。
【００７６】
また、第２実施形態では、制御部１３６は、配信関連条件Ｄに基づいて、コンテンツＣのタイトルリストを作成する。具体的には、制御部１３６は、識別子２１ａ〜２１ｃ、並びに、接続経路２２ｃおよび２２ｄ毎に、対応する配信関連条件Ｄ（Ｄ１〜Ｄ５）のジャンル条件に基づいてコンテンツＣのタイトルリストを作成する。作成されたコンテンツＣのタイトルリストは、設定されたジャンル条件を満たすコンテンツＣのみを含む。なお、配信端末１への作成されたコンテンツＣのタイトルリストの送信、および、配信端末１へのコンテンツＣの配信については、上記第１実施形態と同様であるので、詳細な説明を省略する。
【００７７】
（配信関連処理）
次に、図７を参照して、第２実施形態によるコンテンツ配信装置１０３の配信関連処理をフローチャートに基づいて説明する。フローチャートの各処理は、制御部１３６により行われる。
【００７８】
図７に示すように、まず、ステップＳ２１において、識別子２１ａ〜２１ｃ、並びに、接続経路２２ｃおよび２２ｄ毎に、配信関連条件Ｄのジャンル条件が設定される。
【００７９】
そして、ステップＳ２２において、識別子２１ａ〜２１ｃ、並びに、接続経路２２ｃおよび２２ｄ毎に、配信関連条件Ｄのジャンル条件に従ったコンテンツＣのタイトルリストが作成される。
【００８０】
そして、ステップＳ２３において、配信端末１からコンテンツＣのタイトルリスト要求が受信される。
【００８１】
そして、ステップＳ２４において、タイトルリスト要求を送信した配信端末１が用いた識別子、または、接続経路（識別子２１ａ、識別子２１ｂ、識別子２１ｃ、接続経路２２ｃ、および、接続経路２２ｄのうちのいずれか）に対応するコンテンツＣのタイトルリストが配信端末１に送信される。送信されたコンテンツＣのタイトルリストは、設定されたジャンル条件を満たすコンテンツＣのみを含む。
【００８２】
そして、ステップＳ２５において、コンテンツＣのタイトルリストを送信した配信端末１からタイトルリストのうちの特定のコンテンツＣの配信要求が受信される。
【００８３】
そして、ステップＳ２６において、配信要求を送信した配信端末１への特定のコンテンツＣの配信が行われる。その後、配信関連処理が終了される。
【００８４】
第２実施形態のその他の構成は、上記第１実施形態と同様である。
【００８５】
（第２実施形態の効果）
第２実施形態では、以下のような効果を得ることができる。
【００８６】
第２実施形態では、上記のように、配信関連条件Ｄを、ジャンルを設定するためのジャンル条件を含むように構成する。これにより、設定されたジャンルに基づいて選択されたコンテンツＣを配信端末１に配信することができる。その結果、ユーザが好むジャンルのコンテンツＣだけを配信端末１に配信することができる。これにより、ユーザは、ユーザが使用する配信端末１により好みのコンテンツＣを容易に視聴することができる。
【００８７】
なお、第２実施形態のその他の効果は、上記第１実施形態と同様である。
【００８８】
［第３実施形態］
次に、図１〜図３、図８および図９を参照して、第３実施形態について説明する。この第３実施形態では、配信関連条件が配信時間帯条件を含む例について説明する。なお、上記第１実施形態と同一の構成については、図中において同じ符号を付して図示し、その説明を省略する。
【００８９】
第３実施形態のコンテンツ配信システム３００は、図１および図２に示すように、コンテンツ配信装置２０３を備える点で、上記第１実施形態のコンテンツ配信システム１００と相違する。また、コンテンツ配信装置２０３は、制御部２３６を備える点で、上記第１実施形態のコンテンツ配信装置３と相違する。
【００９０】
第３実施形態では、図８に示すように、配信関連条件Ｄは、コンテンツＣの配信を許可する時間帯を設定するための配信時間帯条件を含む。配信時間帯条件は、時間帯によりコンテンツＣの配信を制限する条件である。制御部２３６は、設定する条件の種類として配信時間帯条件を選択可能に、設定画面６２（図３参照）を表示装置５の表示部５１に表示させる制御を行う。
【００９１】
設定画面６２において操作部３４を用いて配信時間帯条件が選択された場合、制御部２３６は、配信時間帯条件を設定するための設定画面２６３を表示装置５の表示部５１に表示させる制御を行う。配信時間帯条件は、１または複数の時間帯を設定可能に構成されている。また、配信時間帯条件は、１時間毎に設定可能に構成されている。また、配信時間帯条件は、無制限を設定可能に構成されている。
【００９２】
また、第３実施形態では、制御部２３６は、所定の配信端末１からコンテンツＣの配信要求を受信した場合、配信関連条件Ｄに基づいて、所定の配信端末１へのコンテンツＣの配信の許否を判断する。具体的には、制御部２３６は、所定の配信端末１が用いた識別子、または、接続経路（識別子２１ａ、識別子２１ｂ、識別子２１ｃ、接続経路２２ｃおよび接続経路２２ｄのうちのいずれか）に対応する配信関連条件Ｄの配信時間帯条件に基づいて、所定の配信端末１へのコンテンツＣの配信の許否を判断する。
【００９３】
制御部２３６は、現在の時間帯が許可された時間帯であると判断される場合、所定の配信端末１へのコンテンツＣの配信を許可する。制御部２３６は、コンテンツＣの配信を許可する場合、コンテンツＣを所定の配信端末１に配信する制御を行う。また、制御部２３６は、現在の時間帯が許可された時間帯ではない（禁止された時間帯である）と判断される場合、所定の配信端末１へのコンテンツＣの配信を拒否する。制御部２３６は、コンテンツＣの配信を拒否する場合、コンテンツＣが配信できないことを所定の配信端末１に通知する制御を行う。
【００９４】
たとえば、制御部２３６は、配信端末１ａからコンテンツＣの配信要求を受信した場合、配信端末１ａが用いた識別子２１ａに対応する配信関連条件Ｄ１の配信時間帯条件に基づいて、配信端末１ａへのコンテンツＣの配信の許否を判断する。なお、配信端末１ｂおよび１ｃについては、配信端末１ａの場合と同様であるので、詳細な説明を省略する。
【００９５】
また、たとえば、制御部２３６は、配信端末１ｄからコンテンツＣの配信要求を受信した場合、配信端末１ｄが用いた接続経路２２ｃに対応する配信関連条件Ｄ４の配信時間帯条件に基づいて、配信端末１ｄへのコンテンツＣの配信の許否を判断する。
【００９６】
また、たとえば、制御部２３６は、外部ネットワーク４を介して配信端末（図示せず）からコンテンツＣの配信要求を受信した場合、この配信端末が用いた接続経路２２ｄに対応する配信関連条件Ｄ５の配信時間帯条件に基づいて、この配信端末へのコンテンツＣの配信の許否を判断する。
【００９７】
（配信関連処理）
次に、図９を参照して、第３実施形態によるコンテンツ配信装置２０３の配信関連処理をフローチャートに基づいて説明する。フローチャートの各処理は、制御部２３６により行われる。
【００９８】
図９に示すように、まず、ステップＳ３１において、識別子２１ａ〜２１ｃ、並びに、接続経路２２ｃおよび２２ｄ毎に、配信関連条件Ｄの配信時間帯条件が設定される。
【００９９】
そして、ステップＳ３２において、配信端末１から特定のコンテンツＣの配信要求が受信される。
【０１００】
そして、ステップＳ３３において、配信要求を送信した配信端末１が用いた識別子、または、接続経路（識別子２１ａ、識別子２１ｂ、識別子２１ｃ、接続経路２２ｃ、および、接続経路２２ｄのうちのいずれか）に対応する配信関連条件Ｄの配信時間帯条件に基づいて、現在の時間帯がコンテンツＣの配信が許可された時間帯であるか否かが判断される。現在の時間帯がコンテンツＣの配信が許可された時間帯ではないと判断される場合、ステップＳ３４に進む。
【０１０１】
そして、ステップＳ３４において、コンテンツＣが配信できないことが配信要求を送信した配信端末１に通知される。
【０１０２】
また、ステップＳ３３において、現在の時間帯がコンテンツＣの配信が許可された時間帯であると判断される場合、ステップＳ３５に進む。
【０１０３】
そして、ステップＳ３５において、配信要求を送信した配信端末１への特定のコンテンツＣの配信が実行される。その後、配信関連処理が終了される。
【０１０４】
第３実施形態のその他の構成は、上記第１実施形態と同様である。
【０１０５】
（第３実施形態の効果）
第３実施形態では、以下のような効果を得ることができる。
【０１０６】
第３実施形態では、上記のように、配信関連条件Ｄを、コンテンツＣの配信を許可する時間帯を設定するための配信時間帯条件を含むように構成する。これにより、コンテンツＣの配信を所望しない時間帯に配信端末１にコンテンツＣの配信が行われることを制限しつつ、コンテンツＣの配信を所望する時間帯には、配信端末１にコンテンツＣの配信を行うことができる。その結果、たとえば、夜更かしを抑制するように、子供が使用する配信端末１への夜間のコンテンツＣの配信を制限しつつ、昼間には、子供が使用する配信端末１へのコンテンツＣの配信を行って、コンテンツＣを視聴させることができる。
【０１０７】
また、第３実施形態では、上記のように、制御部２３６を、配信関連条件Ｄに基づいて、コンテンツＣの配信の許否を判断するように構成する。これにより、コンテンツＣの配信を所望しない配信端末１へのコンテンツＣの配信が行われることを制限することができる。また、コンテンツＣの配信を所望する配信端末１へのコンテンツＣの配信を行うことができる。
【０１０８】
また、第３実施形態では、上記のように、制御部２３６を、コンテンツＣの配信を許可する場合、コンテンツＣを配信する制御を行い、コンテンツＣの配信を拒否する場合、コンテンツＣが配信できないことを通知する制御を行うように構成する。これにより、コンテンツＣの配信を許可する場合、コンテンツＣを配信端末１に確実かつ迅速に配信することができる。また、コンテンツＣの配信を拒否する場合、コンテンツＣが配信できないことをユーザが使用する配信端末１を介してユーザに通知することができる。その結果、ユーザは、不具合によりコンテンツＣがユーザが使用する配信端末１に配信されないのではなく、設定によりコンテンツＣがユーザが使用する配信端末１に配信されないことを知ることができる。
【０１０９】
なお、第３実施形態のその他の効果は、上記第１実施形態と同様である。
【０１１０】
［第４実施形態］
次に、図１〜図３、図１０および図１１を参照して、第４実施形態について説明する。この第４実施形態では、配信関連条件がチャンネル条件を含む例について説明する。なお、上記第１実施形態と同一の構成については、図中において同じ符号を付して図示し、その説明を省略する。
【０１１１】
第４実施形態のコンテンツ配信システム４００は、図１および図２に示すように、コンテンツ配信装置３０３を備える点で、上記第１実施形態のコンテンツ配信システム１００と相違する。また、コンテンツ配信装置３０３は、制御部３３６を備える点で、上記第１実施形態のコンテンツ配信装置３と相違する。
【０１１２】
第４実施形態では、図１０に示すように、配信関連条件Ｄは、放送信号としてのコンテンツＣのリアルタイムの配信を許可するチャンネルを設定するためのチャンネル条件（ライブ視聴チャンネル条件）を含む。チャンネル条件は、チャンネルにより放送信号としてのコンテンツＣのリアルタイムの配信を制限する条件である。制御部３３６は、設定する条件の種類としてチャンネル条件を選択可能に、設定画面６２（図３参照）を表示装置５の表示部５１に表示させる制御を行う。
【０１１３】
設定画面６２において操作部３４を用いてチャンネル条件が選択された場合、制御部３３６は、チャンネル条件を設定するための設定画面３６３を表示装置５の表示部５１に表示させる制御を行う。チャンネル条件は、チャンネル毎に設定可能に構成されている。また、チャンネル条件は、１または複数のチャンネルを設定可能に構成されている。また、チャンネル条件は、無制限を設定可能に構成されている。
【０１１４】
また、第４実施形態では、制御部３３６は、所定の配信端末１からコンテンツＣの配信要求を受信した場合、配信関連条件Ｄに基づいて、所定の配信端末１へのコンテンツＣの配信の許否を判断する。具体的には、制御部３３６は、所定の配信端末１が用いた識別子、または、接続経路（識別子２１ａ、識別子２１ｂ、識別子２１ｃ、接続経路２２ｃおよび接続経路２２ｄのうちのいずれか）に対応する配信関連条件Ｄのチャンネル条件に基づいて、所定の配信端末１へのコンテンツＣの配信の許否を判断する。なお、所定の配信端末１へのコンテンツＣの配信の許否の判断、および、許否の判断後の動作については、上記第３実施形態と同様であるので、詳細な説明を省略する。
【０１１５】
（配信関連処理）
次に、図１１を参照して、第４実施形態によるコンテンツ配信装置３０３の配信関連処理をフローチャートに基づいて説明する。フローチャートの各処理は、制御部３３６により行われる。
【０１１６】
図１１に示すように、まず、ステップＳ４１において、識別子２１ａ〜２１ｃ、並びに、接続経路２２ｃおよび２２ｄ毎に、配信関連条件Ｄのチャンネル条件が設定される。
【０１１７】
そして、ステップＳ４２において、配信端末１から特定のコンテンツＣの配信要求が受信される。
【０１１８】
そして、ステップＳ４３において、配信要求を送信した配信端末１が用いた識別子、または、接続経路（識別子２１ａ、識別子２１ｂ、識別子２１ｃ、接続経路２２ｃ、および、接続経路２２ｄのうちのいずれか）に対応する配信関連条件Ｄのチャンネル条件に基づいて、要求されたコンテンツＣのチャンネルが配信が許可されたチャンネルであるか否かが判断される。要求されたコンテンツＣのチャンネルが配信が許可されたチャンネルではないと判断される場合、ステップＳ４４に進む。
【０１１９】
そして、ステップＳ４４において、コンテンツＣが配信できないことが配信要求を送信した配信端末１に通知される。
【０１２０】
また、ステップＳ４３において、要求されたコンテンツＣのチャンネルが配信が許可されたチャンネルであると判断される場合、ステップＳ４５に進む。
【０１２１】
そして、ステップＳ４５において、配信要求を送信した配信端末１への特定のコンテンツＣの配信が実行される。その後、配信関連処理が終了される。
【０１２２】
第４実施形態のその他の構成は、上記第１実施形態と同様である。
【０１２３】
（第４実施形態の効果）
第４実施形態では、以下のような効果を得ることができる。
【０１２４】
第４実施形態では、上記のように、コンテンツ配信装置３０３を、選局されたチャンネルの放送信号を受信する受信部３１を備えように構成する。そして、配信関連条件Ｄを、配信を許可するチャンネルを設定するためのチャンネル条件を含むように構成する。これにより、配信を所望しないチャンネルのコンテンツＣの配信端末１への配信が行われることを制限することができる。その結果、ユーザが好むチャンネルのコンテンツＣだけを配信端末１に配信することができる。これにより、ユーザは、ユーザが使用する配信端末１により好みのチャンネルのコンテンツＣを容易に視聴することができる。
【０１２５】
なお、第４実施形態のその他の効果は、上記第１実施形態と同様である。
【０１２６】
［第５実施形態］
次に、図１〜図３、図１２および図１３を参照して、第５実施形態について説明する。この第５実施形態では、配信関連条件が操作条件を含む例について説明する。なお、上記第１実施形態と同一の構成については、図中において同じ符号を付して図示し、その説明を省略する。
【０１２７】
第５実施形態のコンテンツ配信システム５００は、図１および図２に示すように、コンテンツ配信装置４０３を備える点で、上記第１実施形態のコンテンツ配信システム１００と相違する。また、コンテンツ配信装置４０３は、制御部４３６を備える点で、上記第１実施形態のコンテンツ配信装置３と相違する。
【０１２８】
第５実施形態では、図１２に示すように、配信関連条件Ｄは、許可するコンテンツＣに関する操作を設定するための操作条件を含む。操作条件は、配信端末１によるコンテンツＣの操作を制限する条件である。制御部４３６は、設定する条件の種類として操作条件を選択可能に、設定画面６２（図３参照）を表示装置５の表示部５１に表示させる制御を行う。
【０１２９】
設定画面６２において操作部３４を用いて操作条件が選択された場合、制御部４３６は、操作条件を設定するための設定画面４６３を表示装置５の表示部５１に表示させる制御を行う。操作条件は、操作毎に設定可能に構成されている。設定可能な操作は、録画予約、コンテンツＣの削除、コンテンツＣの編集、および、コンテンツＣのダビングを含む。また、操作条件は、無制限を設定可能に構成されている。
【０１３０】
また、第５実施形態では、制御部４３６は、所定の配信端末１からコンテンツＣに関する操作要求を受信した場合、配信関連条件Ｄに基づいて、所定の配信端末１によるコンテンツＣに関する操作の許否を判断する。具体的には、制御部４３６は、所定の配信端末１が用いた識別子、または、接続経路（識別子２１ａ、識別子２１ｂ、識別子２１ｃ、接続経路２２ｃおよび接続経路２２ｄのうちのいずれか）に対応する配信関連条件Ｄの操作条件に基づいて、所定の配信端末１によるコンテンツＣに関する操作の許否を判断する。
【０１３１】
制御部４３６は、所定の配信端末１から要求された操作が許可された操作であると判断される場合、所定の配信端末１によるコンテンツＣに関する操作を許可する。制御部４３６は、コンテンツＣに関する操作を許可する場合、許可した操作（録画予約、編集、削除、ダビングなど）を実行する制御を行う。また、制御部４３６は、所定の配信端末１から要求された操作が許可された操作ではない（禁止された操作である）と判断される場合、所定の配信端末１によるコンテンツＣに関する操作を拒否する。制御部４３６は、コンテンツＣに関する操作を拒否する場合、コンテンツＣに関する操作が実行できないことを所定の配信端末１に通知する制御を行う。
【０１３２】
たとえば、制御部４３６は、配信端末１ａからコンテンツＣに関する操作要求を受信した場合、配信端末１ａが用いた識別子２１ａに対応する配信関連条件Ｄ１の操作条件に基づいて、配信端末１ａによるコンテンツＣに関する操作の許否を判断する。なお、配信端末１ｂおよび１ｃについては、配信端末１ａの場合と同様であるので、詳細な説明を省略する。
【０１３３】
また、たとえば、制御部４３６は、配信端末１ｄからコンテンツＣに関する操作要求を受信した場合、配信端末１ｄが用いた接続経路２２ｃに対応する配信関連条件Ｄ４の操作条件に基づいて、配信端末１ｄによるコンテンツＣに関する操作の許否を判断する。
【０１３４】
また、たとえば、制御部４３６は、外部ネットワーク４を介して配信端末（図示せず）からコンテンツＣに関する操作要求を受信した場合、この配信端末が用いた接続経路２２ｄに対応する配信関連条件Ｄ５の操作条件に基づいて、この配信端末によるコンテンツＣに関する操作の許否を判断する。
【０１３５】
（配信関連処理）
次に、図１３を参照して、第５実施形態によるコンテンツ配信装置４０３の配信関連処理をフローチャートに基づいて説明する。フローチャートの各処理は、制御部４３６により行われる。
【０１３６】
図１３に示すように、まず、ステップＳ５１において、識別子２１ａ〜２１ｃ、並びに、接続経路２２ｃおよび２２ｄ毎に、配信関連条件Ｄの操作条件が設定される。
【０１３７】
そして、ステップＳ５２において、配信端末１からコンテンツＣに関する特定の操作（録画予約、編集、削除、ダビングなど）の操作要求が受信される。
【０１３８】
そして、ステップＳ５３において、操作要求を送信した配信端末１が用いた識別子、または、接続経路（識別子２１ａ、識別子２１ｂ、識別子２１ｃ、接続経路２２ｃ、および、接続経路２２ｄのうちのいずれか）に対応する配信関連条件Ｄの操作条件に基づいて、要求された操作が許可された操作であるか否かが判断される。要求された操作が許可された操作ではないと判断される場合、ステップＳ５４に進む。
【０１３９】
そして、ステップＳ５４において、コンテンツＣに関する操作が実行できないことが操作要求を送信した配信端末１に通知される。
【０１４０】
また、ステップＳ５３において、要求された操作が許可された操作であると判断される場合、ステップＳ５５に進む。
【０１４１】
そして、ステップＳ５５において、操作要求を送信した配信端末１によるコンテンツＣに関する特定の操作が実行される。その後、配信関連処理が終了される。
【０１４２】
第５実施形態のその他の構成は、上記第１実施形態と同様である。
【０１４３】
（第５実施形態の効果）
第５実施形態では、以下のような効果を得ることができる。
【０１４４】
第５実施形態では、上記のように、配信関連条件Ｄを、許可するコンテンツＣに関する操作を設定するための操作条件を含むように構成する。これにより、コンテンツＣに関する操作を所望しない配信端末１によるコンテンツＣに関する操作が行われることを制限することができる。その結果、たとえば、子供や来客が使用する配信端末１により、所望しない操作が行われることを制限することができる。
【０１４５】
また、第５実施形態では、上記のように、コンテンツＣに関する操作を、録画予約、削除、編集、および、ダビングを含むように構成する。これにより、コンテンツＣに関する操作を所望しない配信端末１により、録画予約、削除、編集、または、ダビングが行われることを制限することができる。
【０１４６】
なお、第５実施形態のその他の効果は、上記第１実施形態と同様である。
【０１４７】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１４８】
たとえば、上記第１〜第５実施形態では、コンテンツ配信装置を、レコーダにより構成する例を示したが、本発明はこれに限られない。本発明では、コンテンツを配信可能であれば、コンテンツ配信装置を、レコーダ以外により構成してもよい。たとえば、コンテンツ配信装置を、放送信号としてのコンテンツを受信して配信可能なＳＴＢ（Ｓｅｔ  Ｔｏｐ  Ｂｏｘ）により構成してもよい。
【０１４９】
また、上記第１〜第５実施形態では、コンテンツ配信装置を、配信関連条件を設定するための情報を外部に設けられた表示装置の表示部に表示するように構成する例を示したが、本発明はこれに限られない。本発明では、コンテンツ配信装置が表示部を備える場合、コンテンツ配信装置を、配信関連条件を設定するための情報を自身の表示部に表示するように構成してもよい。
【０１５０】
また、上記第１〜第５実施形態では、コンテンツ配信装置を、識別子だけでなく、有線ＬＡＮの接続経路、および、外部ネットワークの接続経路に対しても、配信関連条件を設定可能に構成する例を示したが、本発明はこれに限られない。本発明では、コンテンツ配信装置が識別子毎に配信関連条件を設定可能に構成されていれば、コンテンツ配信装置を、有線ＬＡＮの接続経路、および、外部ネットワークの接続経路に対して、配信関連条件を設定可能に構成しなくてもよい。
【０１５１】
また、上記第１〜第５実施形態では、コンテンツ配信装置を、３つの受信部を備えるように構成する例を示したが、本発明はこれに限られない。本発明では、コンテンツ配信装置を、１つまたは３つ以外の複数の受信部を備えるように構成してもよい。また、コンテンツ配信装置を、受信部を備えるように構成しなくてもよい。
【０１５２】
また、上記第１〜第５実施形態では、コンテンツを、録画されたコンテンツおよび放送信号としてのコンテンツにより構成する例を示したが、本発明はこれに限られない。本発明では、コンテンツを、録画されたコンテンツおよび放送信号としてのコンテンツ以外により構成してもよい。
【０１５３】
また、上記第１〜第５実施形態では、それぞれ、配信関連条件を、視聴年齢制限、ジャンル条件、配信時間帯条件、チャンネル条件、または、操作条件を含むように構成する例を示したが、本発明はこれに限られない。本発明では、配信関連条件を、視聴年齢制限、ジャンル条件、配信時間帯条件、チャンネル条件、および、操作条件のうちの２つ以上を含むように構成してもよい。また、配信関連条件を、視聴年齢制限、ジャンル条件、配信時間帯条件、チャンネル条件、および、操作条件以外を含むように構成してもよい。
【０１５４】
また、上記第１〜第５実施形態では、アクセスポイント装置を、３つの識別子を有するように構成する例を示したが、本発明はこれに限られない。本発明では、アクセスポイント装置を、３つ以外の複数の識別子を有するように構成してもよい。
【０１５５】
また、上記第１〜第５実施形態では、アクセスポイント装置を、２つの有線ＬＡＮ接続部を含むように構成する例を示したが、本発明はこれに限られない。本発明では、アクセスポイント装置を、１つまたは２つ以外の複数の有線ＬＡＮ接続部を含むように構成してもよい。また、アクセスポイント装置を、有線ＬＡＮ接続部を含むように構成しなくてもよい。
【０１５６】
また、上記第１〜第５実施形態では、アクセスポイント装置を、有線ＬＡＮにより外部ネットワークに接続するように構成する例を示したが、本発明はこれに限られない。たとえば、アクセスポイント装置を、無線ＬＡＮにより外部ネットワークに接続するように構成してもよい。また、アクセスポイント装置を、外部ネットワークに接続可能に構成しなくてもよい。
【０１５７】
また、上記第１〜第５実施形態では、アクセスポイント装置を、ルータ機能を有する無線ＬＡＮルータにより構成する例を示したが、本発明はこれに限られない。たとえば、アクセスポイント装置を、アクセスポイント機能のみを有する無線機により構成してもよい。
【０１５８】
また、上記第５実施形態では、コンテンツに関する操作を、録画予約、削除、編集、および、ダビングを含むように構成する例を示したが、本発明はこれに限られない。本発明では、コンテンツに関する操作を、録画予約、削除、編集、および、ダビングのうちの少なくとも１つを含むように構成してもよい。また、コンテンツに関する操作を、録画予約、削除、編集、および、ダビング以外を含むように構成してもよい。
【０１５９】
また、上記第１〜第５実施形態では、説明の便宜上、処理動作を処理フローに沿って順番に処理を行うフロー駆動型のフローチャートを用いて説明したが、本発明はこれに限られない。本発明では、処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１６０】
２  アクセスポイント装置
３、１０３、２０３、３０３、４０３  コンテンツ配信装置
２１ａ〜２１ｃ  識別子
２２ａ、２２ｂ  有線ＬＡＮ接続部
２２ｃ  （有線ＬＡＮの）接続経路
２２ｄ  （外部ネットワークの）接続経路
３１  受信部
３５  通信部
３６、１３６、２３６、３３６、４３６  制御部
５１  表示部
Ｃ  コンテンツ
Ｄ、Ｄ１〜Ｄ５  配信関連条件
【図１】
2019165300.tif 000003
【図２】
2019165300.tif 000004
【図３】
2019165300.tif 000005
【図４】
2019165300.tif 000006
【図５】
2019165300.tif 000007
【図６】
2019165300.tif 000008
【図７】
2019165300.tif 000009
【図８】
2019165300.tif 000010
【図９】
2019165300.tif 000011
【図１０】
2019165300.tif 000012
【図１１】
2019165300.tif 000013
【図１２】
2019165300.tif 000014
【図１３】
2019165300.tif 000015